(57)【要約】【課題】電線の損傷を防止できるとともに灯具の向きの調節操作を軽くでき、しかも、これらの実現において配設スペースが大きくなることを抑制できる照明器具を提供する。【解決手段】器具本体31に取付けた板ばね41で灯具11を付勢し、灯具11の半球状外面を本体31の開口の縁で受けて、照射方向を可変できるように灯具を変向可能に支持する。灯具を押圧する板ばね41の押圧部43を、アーム43b〜43dを有した三叉状とする。アーム43a、43bにわたる押圧部の側縁41ａと本体31の円弧状壁33との間を通して電線26を引出し、電線のアーム43dを横切る部位を電線止め65でアーム43dに固定し、この固定箇所から電線の電気コネクタにわたるコネクタ側電線部位26bを、本体31を背面側から見たときに円弧状壁33の外面から突出するように規制する。灯具11に電線26を固定し、この固定箇所からアーム43aを跨いで電線止め65にわたる中間電線部位26aを、電線部位26bの突出方向と反対側に斜めとなる引き回し状態に、電線止め65と共に規制する。【選択図】      図１
2008140625.tif 000002
【特許請求の範囲】
【請求項１】
光源が内蔵された灯具であって、この灯具の正面側部位が半球状外面を有し、かつ、前記灯具の背面側部位が球面の一部からなる背面を有した前記灯具と；
円弧状壁及び前記半球状外面の最大径より小径な開口を有し、この開口の縁で前記半球状外面を受けて前記灯具による照射方向を可変できるように前記灯具を所定範囲内で変向可能に支持する器具本体と；
この器具本体に取付けられた第１から第３のアームを有して三叉状に形成され前記背面を押圧する押圧部を備え、この押圧部で前記灯具を前記開口の縁に押付ける金属製の板ばねと；
一端が前記光源に電気的に接続されて前記第１、第２のアームにわたる前記押圧部の側縁と前記円弧状壁との間を通って前記器具本体外に引き出され、かつ、他端に電気コネクタが取付けられている絶縁被覆電線と；
この電線の前記第３のアームを横切る部位を前記第３のアームに固定して、この固定箇所から前記電気コネクタにわたるコネクタ側電線部位を、前記器具本体を背面側から見たときに前記円弧状壁の外面から突出するように規制する電線止めと；
前記絶縁被覆電線を前記背面側部位に固定し、この固定箇所から前記第１のアームを跨いで前記電線止めにわたる中間電線部位を、前記コネクタ側電線部位の突出方向と反対側に斜めとなる引き回し状態に前記電線止めと共に規制する固定手段と；
を具備したことを特徴とする照明器具。
【請求項２】
前記背面側部位より強度が低い材料からなる接触部材を前記押圧部又は前記背面側部位に取付け、この接触部材を前記背面側部位の背面又は前記押圧部の中央部に接触させたことを特徴とする請求項１に記載の照明器具。
【発明の詳細な説明】
【技術分野】
【０００１】
本発明は、光源を有した灯具の向きを自在に可変して光の照射方向を調節できる読書灯やダウンライト等の照明器具に関する。
【背景技術】
【０００２】
従来、器具本体が有した円形開口の縁に、光源が内蔵された略球状の灯具を載置し、弾性体が有した一対の固定部を器具本体に固定させて、弾性体の押さえ部を灯具の背面に当接させることにより、灯具を上方から押えて灯具の器具本体への取付けと灯具の照射方向の保持とを実現したダウンライトが知られている。そして、このダウンライトでは、灯具の上部材から引出された電源線を、弾性体が有した係合用ばね部及び固定部の側方にある開口の中間位置、又は弾性体の一対の固定部の間の中心付近から背面側に導出して、弾性体の押さえ部の上面にアタッチメントにより固定して、電源線に対する張力止めとともに、灯具の鉛直方向に対する傾動時に電源線が弾性体の各部と干渉しないようにしている（例えば、特許文献１参照。）。
【０００３】
特許文献１に記載のダウンライトでは、器具本体の円形開口の縁とこれに押付けられた灯具との間の摩擦力、及び灯具とこれに弾性的に接した押さえ部との間の摩擦力により、灯具を静止状態に保持できる。これとともに、器具本体の円形開口の下側から灯具を前記摩擦力に抗して回転操作して、灯具の向きを任意に変えることにより、灯具からの光の照射方向を調節できる。
【特許文献１】特開2005−149790号公報（段落0013−0025、図１−図９）
【発明の開示】
【発明が解決しようとする課題】
【０００４】
特許文献１の照明器具では、電源線の弾性体に対する固定部と、灯具に電源線が接続された接続部とにわたる電線部位が、固定部から接続部に向けて下がって配線されているので、前記電線部位の長さは短くならざるを得ず、それにより、前記電線部位の固定部側部分は弾性体の縁に接近し対向した状態にある。そのため、固定部から接続部が離れるように灯具の向きが調節される際、短い前記電線部位が下方に引き動かされるに伴い、金属の板ばねからなる弾性体の縁に前記電線部位が容易に干渉（接触）する可能性が高く、強く接触した場合には電源線の絶縁被覆が損傷を受ける恐れが考えられる。更に、固定部に接続部が近付くように灯具の向きが調節される際、短い前記電線部位が円滑な変形を伴って押上げられることが固定部により妨げられ易いので、この電線部位が、固定部に接続部が近付くように灯具の向きを傾動させる操作に対する大きな抵抗となって、操作が重くなり易い。
【０００５】
又、ダウンライトの配設スペースは、弾性体の押さえ部より上側に配置される電源線の配置を含めて定められる。しかし、特許文献１には、ダウンライトの配設スペースを小さくするための好適な電源線の配置については記載がない。
【０００６】
本発明の目的は、絶縁被覆電線の損傷を防止できるとともに灯具の向き調節を軽くでき、しかも、これらの実現において配設スペースが大きくなることを抑制できる照明器具を提供することにある。
【課題を解決するための手段】
【０００７】
請求項１の発明は、光源が内蔵された灯具であって、この灯具の正面側部位が半球状外面を有し、かつ、前記灯具の背面側部位が球面の一部からなる背面を有した前記灯具と；
円弧状壁及び前記半球状外面の最大径より小径な開口を有し、この開口の縁で前記半球状外面を受けて前記灯具による照射方向を可変できるように前記灯具を所定範囲内で変向可能に支持する器具本体と；この器具本体に取付けられた第１から第３のアームを有して三叉状に形成され前記背面を押圧する押圧部を備え、この押圧部で前記灯具を前記開口の縁に押付ける金属製の板ばねと；一端が前記光源に電気的に接続されて前記第１、第２のアームにわたる前記押圧部の側縁と前記円弧状壁との間を通って前記器具本体外に引き出され、かつ、他端に電気コネクタが取付けられている絶縁被覆電線と；この電線の前記第３のアームを横切る部位を前記第３のアームに固定して、この固定箇所から前記電気コネクタにわたるコネクタ側電線部位を、前記器具本体を背面側から見たときに前記円弧状壁の外面から突出するように規制する電線止めと；前記絶縁被覆電線を前記背面側部位に固定し、この固定箇所から前記第１のアームを跨いで前記電線止めにわたる中間電線部位を、前記コネクタ側電線部位の突出方向と反対側に斜めとなる引き回し状態に前記電線止めと共に規制する固定手段と；を具備したことを特徴としている。
【０００８】
請求項１の発明で、器具本体の開口は、その全周縁で灯具の半球状外面を支持することが好ましいが、開口の縁がその周方向に沿ってこの開口縁の一部をなす支持凸部を三箇所以上間隔的に好ましくは等間隔に有し、これら支持凸部に灯具の半球状外面を支持させることもできる。請求項１の発明で、半球状外面の頂部に出射凸部を突設して、この凸部を通して光源が発した光を出射させてもよく、又、出射凸部を除去して半球状外面の頂部を通して光源が発した光を出射させてもよい。請求項１の発明で、光源には、発光ダイオード以外のランプを用いることが可能である。請求項１の発明で、板ばねの三叉状のアームは、１２０°毎に設けることが好ましいが、これには制約されない。請求項１の発明で、電線止めは、第３のアームとは別に成形されて、このアームに取付けられるものであってもよく、又、第３のアームと一体に形成されて、折り曲げられることにより第３のアームに絶縁被覆電線を動かないように固定する折り曲げ部で形成してもよい。請求項１の発明で、固定手段は、絶縁被覆電線の中間電線部位を灯具の背面側部位に動かないように固定するものであり、実施形態で説明する形態以外にも、例えば、背面側部位に一体に突設された突起で形成して、この突起を曲げることによって中間電線部位を背面側部位に固定するものであってもよい。
【０００９】
請求項１の発明では、絶縁被覆電線の中間電線部位を、電線止めと固定手段とにわたって板ばねの第１のアームを跨いで設けて、この中間電線部位の長さを長く確保したので、灯具が変向操作されることに伴って、灯具の動きに中間電線部位は円滑に変形して追従できる。
【００１０】
この灯具の変向操作において、固定手段が板ばねから遠ざかるように灯具が変向操作される際には、長い中間電線部位が第１のアームの背面に近付けられるように円滑に変形しつつ、固定手段が第１のアームから遠ざかる。これにより、中間電線部位が板ばねの第１、第２のアームにわたる側縁に接することが回避されるので、板ばねの側縁に中間電線部位が擦れることが防止される。
【００１１】
又、灯具の変向操作において、固定手段が板ばねの前記側縁に近付くように灯具が変向操作される際には、中間電線部位が第１のアームの背面から遠ざかるように円滑に変形して、この中間電線部位が、板ばねの側縁に非接触若しくは軽微に接した状態となるので、板ばねの側縁に強く擦り付けられることが防止される。
【００１２】
これとともに、既述のように長い中間電線部位が第１のアームの背面から遠ざかるように円滑に変形するので、灯具の変向操作に対して、固定手段が板ばねに近付く従って中間電線部位による抵抗が大きく増えないので、灯具の変向操作を軽くできる。
【００１３】
又、既述のように中間電線部位が板ばねの第１のアームを跨いでいるので、照明器具を側方向から見た場合に、中間電線部位は板ばねの背面から離れる方向にある程度突出した状態となる。しかし、この中間電線部位は、器具本体の円弧状壁に対するコネクタ側電線部位の突出方向を規定した電線止めと前記固定手段によって捻れを与えられて引き回されているので、コネクタ側電線部位の突出方向と反対側に斜めとなる状態に保持される。これにより、中間電線部位は板ばねの背面から離れる方向の突出寸法を小さくできる。しかも、コネクタ側電線部位は中間電線部位の突出方向とは異なる方向に突出されているので、板ばねの背面から離れる方向のスペースファクターには影響しない。したがって、灯具の向き調節の操作を軽くしつつ板ばねとの干渉を防止できる配置の絶縁被覆電線を原因として、板ばねの背面から離れる方向に絶縁被覆電線を配置するためのスペースを大きく要することがない。
【００１４】
請求項２の発明は、前記背面側部位より強度が低い材料からなる接触部材を前記押圧部又は前記背面側部位に取付け、この接触部材を前記背面側部位の背面又は前記押圧部の中央部に接触させたことを特徴としている。
【００１５】
この発明では、灯具の変向操作に伴い、この灯具の背面がこれよりも硬い板ばねと直接接して摩耗することが防止される。そのため、長期にわたる使用において、変向させた位置に灯具を保持する性能の低下を抑制できるとともに、灯具を操作させる操作力を略一定に持続できる。
【発明の効果】
【００１６】
請求項１の発明によれば、板ばねとの接触による絶縁被覆電線の損傷を防止できるとともに、絶縁被覆電線の抵抗を低減して灯具の向きの調節操作を軽くでき、しかも、これらの実現において絶縁被覆電線が板ばねの背面から突出されているにも拘らず、器具全体の配設スペースが大きくなることを抑制可能な照明器具を提供できる。
【００１７】
請求項２の発明によれば、請求項１の発明の照明器具において、灯具の背面側部位の摩耗を防止したので、長期にわたる使用において、変向させた位置に灯具を保持する性能の低下を抑制できるとともに、灯具を操作させる操作力を略一定に持続させることができる。
【発明を実施するための最良の形態】
【００１８】
図１〜図１０を参照して本発明の一実施形態を説明する。この実施形態の照明器具は読書灯１として使用される。即ち、例えば客車、航空機の客室、客船等の輸送体内の通路の少なくとも片側に座席が、通路が延びる方向に沿って並べて配置され、これらの座席が有した背凭れの上端部でかつ背凭れの幅方向一端部、言い換えれば、座席肩部に、読書灯１が設置されている。この場合、通路側と窓側に並べられている一対の座席のうちで、通路側の座席については通路側の座席肩部に読書灯１が設置され、窓側の座席については窓側の座席肩部に読書灯１が設置される。読書灯１は、座席に着座した乗客が読書をする場合に、乗客の肩越しから手元を向けて光をスポット的に投光して照明する。
【００１９】
図１〜図１０に示すように読書灯１は、灯具１１と、絶縁被覆電線（以下電線と略称する）２６と、器具本体３１と、弾性を有する金属製の板ばね４１と、ストッパ５１とを具備している。
【００２０】
灯具１１は、カバー１２、灯具ボディ１５、光源２０、レンズ２２等を備えている。
【００２１】
カバー１２は、灯具１１の正面側部位をなすものであって、合成樹脂製である。図３及び図６等に示すようにカバー１２は、半球状外面１２ａ、及びこの半球状外面１２ａの頂部から一体に突出された出射凸部１３を有して、椀形状に形成されている。出射凸部１３の先端は開放されている。出射凸部１３と反対側のカバー１２の端も開放されており、この開放端部において半球状外面１２ａの外径は最大となっている。
【００２２】
灯具ボディ１５は、灯具１１の背面側部位をなすものであって、金属、好ましくは鉄よりも軽量でかつ熱伝導性も優れるアルミニウム合金のダイキャスト製品である。図３、図６〜図８等に示すように灯具ボディ１５は、ボディ基部１６と、背面凸部１７と、一対の円弧状部１８を備えている。
【００２３】
ボディ基部１６はカバー１２の内部に配置される部位である。ボディ基部１６をカバー１２内に挿入する時に先頭となる端面、つまり、出射凸部１３側を向いた端面１６ａは平坦面で形成されている。
【００２４】
背面凸部１７はボディ基部１６の背面側に一体に突設されている。背面凸部１７の両側面は略平行であり、これら両側面間の背面１７ａは球面の一部で形成されている。背面凸部１７は一対の溝１７ｂを有している。これらの溝１７ｂは、背面凸部１７の頂部からずらして形成され背面１７ａに開放している。
【００２５】
一対の円弧状部１８は、その両端をボディ基部１６の側面に一体に連続させて、ボディ基部１６の側面から直角に張り出すように設けられている。これら円弧状部１８はカバー１２の大径開口端に被さるようになっているとともに、円弧状部１８の中央部外周面に夫々突起１８ａが設けられている。これらの突起１８ａは背面凸部１７から遠ざかるように突出している。図６に示すように灯具ボディ１５は、円弧状部１８とボディ基部１６の側面との間に夫々形成された凹部１５ａを有している。
【００２６】
以上のように灯具ボディ１５の背面凸部１７の両側面を互いに略平行とし、この背面凸部１７に一対の溝１７ｂを設け、灯具ボディ１５に一対の凹部１５ａを設けた構成は、金属製の灯具ボディ１５を軽くするのに寄与し、結果的に回転操作される部分である灯具１１の軽量化とともに読書灯１全体の軽量化ができる点で好ましい。更に、一対の溝１７ｂ及び一対の凹部１５ａによって灯具ボディ１５の表面積が増やされるので、この灯具ボディ１５からの放熱性能を向上できる点でも好ましい。
【００２７】
灯具ボディ１５とカバー１２とは、図７に示すように互いに嵌合された状態で、溝１７ｂからボディ基部１６を通ってカバー１２にねじ込まれた一対のねじ１９によって連結されている。
【００２８】
図６及び図７に示すように光源２０には基板２０ａ上に例えば白色発光をするＬＥＤ（発光ダイオード）２０ｂを実装したものが用いられている。光源２０は、ボディ基部１６の端面１６ａ上に熱伝導性シート２１を挟んで配置されている。光源２０を被って配置されるレンズ２２はＬＥＤ２０ｂが発した光を制御して出射するものであって、レンズホルダ２３内に支持されている。レンズホルダ２３は二つ割りのホルダ部材を組み合わせて形成されている。レンズホルダ２３は出射凸部１３内に挿入してカバー１２の内側に配置されている。そして、レンズホルダ２３は、一対の凹部１５ａの内側から夫々挿入されボディ基部１６を通ってレンズホルダ２３のねじ電線固定部にねじ込まれたねじ２４によって、灯具ボディ１５に取付けられている。
【００２９】
この取付けにより、レンズホルダ２３とボディ基部１６の端面１６ａとの間に、互いに重なった熱伝導性シート２１と光源２０の基板２０ａとが挟まれて、熱伝導性シート２１がボディ基部１６の端面１６ａに密接されている。これにより、点灯に伴いＬＥＤ２０ｂが発生する熱を、熱伝導性シート２１を経由してボディ基部１６に円滑に伝達して、このボディ基部１６の表面から放出できるので、ＬＥＤ２０ｂの温度上昇が抑制されて所定の発光性能を維持できる。
【００３０】
電線２６は光源20への給電用である。この電線２６の一端は一方の凹部１５ａの底を通って光源２０の基板２０ａに設けた図示しない給電用のパターンに接続されている。図３、図４、図９及び図１０に示されるように電線２６はその他端に電気コネクタ２７を有している。
【００３１】
器具本体３１は、例えばアルミニウム合金のダイキャスト製品であって、図１〜図４、図８〜図１０等に示すようにリング部３２の背面に一対の円弧状壁３３を突設して形成されている。リング部３２が有した円形の開口３２ａは半球状外面１２ａの最大径より小径であり、この開口３２ａの縁は半球状外面１２ａに接触してこの半球状外面１２ａを摺動可能に支持する弧状面で形成されている。
【００３２】
一対の円弧状壁３３は、それらの間に灯具１１を収容するように相対向して設けられ、その円弧状壁３３の円弧が延びる方向の端間には隙間Ｇ（図３及び図８参照）が形成されている。これら一対の隙間Ｇは器具本体３１の周方向に略１８０°離れている。隙間Ｇの幅は灯具ボディ１５の突起１８ａの幅より広い。隙間Ｇと突起１８ａとは、器具本体３１の中心軸線周りに灯具１１が回転し得る角度を規定している。
【００３３】
各円弧状壁３３の夫々には、リング部３２と反対側の端部に位置して少なくとも一つのガイド部３４及びばね取付け孔３５が設けられている。ガイド部３４は、前記反対側の端部の端面に開放しているとともに、この端面から円弧状壁３３の外面にせり出すように傾斜して形成されている。ばね取付け孔３５は、ガイド部３４に対してこれよりリング部３２寄りに隣接して設けられた四角孔で形成されている。
【００３４】
各円弧状壁３３の内面の夫々には、リング部３２と反対側の端部に位置して段部３６が形成されている。これらの段部３６は円弧状壁３３の円弧に沿って延びて形成されている。段部３６の途中にばね取付け孔３５に連続して凹溝３７が設けられている。
【００３５】
図１、図３、図４に示すように板ばね４１は、器具本体３１に形成されたばね取付け孔３５と同数の固定部４２と、これら固定部４２間にわたる押圧部４３とを有している。
【００３６】
各固定部４２は、好ましい例として等間隔例えば１２０°毎に配置されていて、いずれもＬ字形状に曲げて形成されている。押圧部４３は、第１のアーム４３ｂ〜第３のアーム４３ｄを放射状に突出させた形状、言い換えれば、三叉形状をなしていて、第１のアーム４３ｂ〜第３のアーム４３ｄの先端から夫々固定部４２が折り曲げられている。この板ばね４１は、夫々の固定部４２をばね取付け孔３５に外側から挿入して引掛けることにより器具本体３１に取付けられる。
【００３７】
いずれか一つのアーム例えば第３のアーム４３ｄは、その側方に一体に突出した電線固定部４４を有している（図３及び図４参照）。電線固定部４４は、これが突設された第３のアーム４３ｄの側縁との間に溝４５を形成するもので、例えばＴ字形をなしている。更に、押圧部４３の中央部４３ａ、言い換えれば、第１のアーム４３ｂ〜第３のアーム４３ｄが合わさった部位に接触部材４７が設けられている。詳しくは、接触部材４７は、灯具ボディ１５の構成材料より強度が弱く、かつ好ましくは摩擦計数が小さな材料、例えば硬質な合成樹脂により形成されている。この接触部材４７は前記中央部４３ａに開けた孔４３ｅ（図３参照）に灯具ボディ１５側から軽圧入して取付けられている。接触部材４７は孔４３ｅより大径な端部を有しており、この端部は灯具ボディ１５の背面１７ａに接触している。
【００３８】
図３等に示すようにストッパ５１は、例えば金属のリングで形成されている。このリング形のストッパ５１の外周の一部には回り止め凸部５２が一体に突設されている。回り止め凸部５２の幅は前記隙間Ｇに嵌合されるようにこの隙間Ｇの幅と略等しく形成されている。ストッパ５１の内周には逃げ溝５３が回り止め凸部５２に隣接するように設けられている。この逃げ溝５３は器具本体３１外に引出される前記電線２６との干渉を抑制するために設けられている。図６及び図７に示すようにストッパ５１は段部３６に支持されて器具本体３１の内部に配置される。
【００３９】
次に、器具本体３１、板ばね４１、ストッパ５１、及び予め組立てられた灯具１１を用意して読書灯１を組立てる手順を説明する。この場合、用意された灯具１１には、電線２６が接続されているだけではなく、図１、図３、図８等に示した固定手段６１で電線２６が固定されている。図３等に示すように詳しくは、固定手段６１は、金属等からなる電線ホルダ６２と、この電線ホルダ６２を背面凸部１７の一側面に固定する固定部品例えばねじ６３とで形成されている。電線２６は電線ホルダ６２に通され、電線２６が通された電線ホルダ６２の部位は、縮径するように塑性変形されて電線２６を電線ホルダ６２に対して移動することがないように保持している。そのため、電線２６の光源２０に近い端部側部位は、図３及び図６に示すように背面凸部１７の一側面に沿うように設けられている。しかも、電線２６が通された電線ホルダ６２の部位と、一方の凹部１５ａに対する電線２６の引き出し位置とは、図３に示すように背面凸部１７の一側面に沿って灯具１１の光軸の両側に位置されるようにずれている。なお、図８中符号１６ｂはボディ基部１６に一方の凹部１５ａに開口して設けた電線通孔を示し、この電線通孔１６ｂを通って電線２６が光源２０へと導かれている。
【００４０】
まず、器具本体３１の一対の隙間Ｇに灯具１１の一対の突起１８ａを位置合わせし、灯具１１を、そのカバー１２を先頭にして器具本体３１の内側に収容する。これにより、出射凸部１３を含むカバー１２の頂部側部分が器具本体３１の開口３２ａに挿通されて、この開口３２ａの縁に灯具１１の半球状外面１２ａが接して灯具１１が支持される。これとともに、一対の突起１８ａが対応する一対の隙間Ｇ内に配置される。又、この収容状態で灯具１１の背面凸部１７の先端部は器具本体３１の円弧状壁３３より高く突出される。
【００４１】
この後、器具本体３１の上方に向けて灯具１１から引き出されている電線２６に対して逃げ溝５３が対向するようにリング形のストッパ５１を器具本体３１内に収容して、この器具本体３１の段部３６にストッパ５１を載せるとともに、このストッパ５１の回り止め凸部５２を一方の隙間Ｇに嵌合させる。これにより、灯具１１の背面凸部１７がストッパ５１に接することなくこの内側に通されるとともに、ストッパ５１が灯具１１の円弧状部１８に対して器具本体３１の中心線が伸びる方向に離れて配置される。この離間距離を図５及び図６に符号Ｌで示す。離間距離Ｌは器具本体３１に対して灯具１１を人間の手で動かすことを許容するために設けられる。
【００４２】
次に、予め接触部材４７が取付けられた板ばね４１を器具本体３１に取付ける。この取付けは、各固定部４２を夫々器具本体３１のガイド部３４に合わせて板ばね４１を押えることにより行われる。それにより、固定部４２が、弾性変形を伴ってガイド部３４を滑りながら通過した直後に、ばね取付け孔３５に入り込んで引っ掛かる。この場合、図１及び図２に示すように固定部４２を段部３６との間にストッパ５１を挟むように配置する。したがって、板ばね４１の取付けと同時に、この板ばね４１を利用してストッパ５１を器具本体３１から外れないように保持できる。これとともに、以上のように器具本体３１に取付けられた板ばね４１の複数の固定部４２を利用して、これらと器具本体３１の段部３６との間にストッパ５１が挟まれるようになるので、格別な部品を要することなく、ストッパ５１が器具本体３１に取付けられる。
【００４３】
こうした板ばね４１の取付けによって、この板ばね４１の押圧部４３はある程度弾性変形した状態となるとともに、その中央部４３ａと灯具１１の背面１７ａとの間に接触部材４７の端部が挟まれる。これにより、接触部材４７を介して灯具１１に板ばね４１の付勢力が作用して、灯具１１の半球状外面１２ａが開口３２ａの縁に押付けられた状態となるので、器具本体３１から外れないように灯具１１が保持される。そのため、器具本体３１の開口３２ａの縁とこれに押付けられた灯具１１の半球状外面１２ａとの間の摩擦力、及び灯具１１の背面１７ａとこれに押付けられて点接触した板ばね４１の押圧部４３との間の摩擦力により、灯具１１が静止状態に保持される。
【００４４】
最後に、電線２６の引き回しを行う。電線２６は、器具本体３１を背面側から見たときに、図４等に示すように逃げ溝５３と対向する第１のアーム４３ｂと第２のアーム４３ｃにわたる板ばね４１の側縁４１ａと、これに対向するように位置されている一方の円弧状壁３３との間を通って、器具本体３１外に引き出されている。側縁４１ａは板ばね４１の中央部に向けて凹むように湾曲して形成されている。
【００４５】
まず、電線２６を固定している電線ホルダ６２を起点に、一方の凹部１５ａに対する電線の引き出し位置側、つまり、電線通孔１６ｂに向かうように電線２６を戻しながら、この電線２６を第１のアーム４３ｂに跨がせて、しかも、第３のアーム４３ｄの背面に沿わせるように引き回す。これにより、電線２６の電線ホルダ６２から第３のアーム４３ｄにわたる部位、つまり、第１のアーム４３ｂを跨いだ中間電線部位２６ａが捻られるとともに器具本体３１を背面側から見たときにＵ字形状を呈する。これとともに、第３のアーム４３ｄと交差した電線２６の前記第３のアーム４３ｄから電気コネクタ２７に至る部位、つまり、コネクタ側電線部位２６ｂが、器具本体３１を背面側から見たときに円弧状壁３３の外面から突出されるように規制され（図１及び図４参照）、例えば円弧状壁３３の略接線方向に沿って突出するように引き回される。
【００４６】
次に、こうした電線２６の引き回し状態を、電線止め６５を用いて保持する。電線止め６５は第３のアーム４３ｄの背面に電線２６を固定するもので、例えばバンドが用いられている。このバンドは、前記溝４５に通されて第３のアーム４３ｄの電線固定部４４上に電線２６を固定している。これに伴い第３のアーム４３ｄを跨いでいる中間電線部位２６ａに与えられた既述の捻れとコネクタ側電線部位２６ｂの突出方向の規制とによって、中間電線部位２６ａがコネクタ側電線部位２６ｂの突出方向の突出方向とは反対側に斜めとなる状態に保持される。この状態を図５、図９、及び図１０に示す。このことと既述のように側縁４１ａが板ばね４１の中央部に向けて凹むように湾曲して形成されていることにより、灯具１１の向きを変える操作に伴って、電線２６の中間電線部位２６ａが板ばね４１の側縁４１ａに接しないか、接するとしても軽微に接して強く擦られないようになっている。
【００４７】
前記構成の読書灯１は、図５中に二点鎖線で示す保護ケース５７に収容されて前記座席の肩部に取付けられる。ところで、器具本体３１外に引き出された電線２６の中間電線部位２６ａが、既述のようにコネクタ側電線部位２６ｂの突出方向と反対側に斜めとなる状態に保持されているので、板ばね４１の背面から離れる方向の中間電線部位２６ａの突出寸法Ｒ（図９及び図１０参照）を短くできる。言い換えれば、器具本体３１の中心軸線が延びる方向に沿って器具本体３１のリング部３２から中間電線部位２６ａまでの高さ寸法Ｓ（図９及び図１０参照）を短くできる。
【００４８】
そのため、読書灯１は、大きな設置スペースを要することなく座席肩部のように狭い設置場所にも好適に設置できる。なお、座席肩部への読書灯１の設置において、電線２６のコネクタ側電線部位２６ｂは、中間電線部位２６ａの突出方向とは異なる方向、具体的には既述のように器具本体３１を背面側から見たときに円弧状壁３３の外面から突出されるように引出されているので、板ばね４１の背面から離れる方向にコネクタ側電線部位２６ｂを収めるためのスペースを格別に要しない。
【００４９】
前記保護ケース５７は出射凸部１３が通される孔を有している。この孔は灯具１１の傾き調節を妨げない径で形成されている。座席への取付け状態で、保護ケース５７の前面は、座席が有した図示しないクッション材及び表カバーで覆われるが、これらクッション材及び表カバーを通って出射凸部１３が突出されている。これにより、出射凸部１３を摘んで灯具１１を傾けるなど灯具１１の向きを調節できるので、出射凸部１３がない構成に比較して調節操作が容易で僅かな動きでも正確に操作することができる。この場合、灯具１１を押してその半球状外面１２ａが開口３２ａより離れるように操作すると、灯具１１の動きに対する抵抗が減るので、灯具１１の向きの調節をより容易にできる。
【００５０】
灯具１１からの光の照射方向を変える調節をするには、前記摩擦力に勝る操作力を灯具１１に与えて、この灯具１１を回転操作することで実現される。その際、灯具１１の半球状外面１２ａは器具本体３１の開口３２ａの縁を滑り動き、かつ、灯具１１の背面１７ａは板ばね４１の中央部４３ａに取付けられた接触部材４７を滑り動く。そのため、灯具１１が所望の向きに調節された時点で出射凸部１３から手を離すことにより、そのときの位置に灯具１１を静止させることができる。なお、器具本体３１の隙間Ｇの幅は灯具１１の突起１８ａより十分に大きいので、前記調節において突起１８ａは隙間Ｇ内を遊び動くとともに、突起１８ａが円弧状壁３３に当たる場合には灯具１１の最大傾き角度が規制される。
【００５１】
更に、電線２６の中間電線部位２６ａは第１のアーム４３ｂを跨いでいて、その一端は変向操作される灯具１１に固定され、他端は器具本体３１に対して固定的に取付けられた板ばね４１の第３のアーム４３ｄに固定されている。そして、第３のアーム４３ｄは器具本体３１外に電線２６が引き出された位置、つまり、板ばね４１の側縁４１ａとこれに対向するように設けられている一方の円弧状壁３３との間から最も遠く離れている。言い換えれば、板ばね４１において、その第３のアーム４３ｄは、側縁４１ａから最も離れている。そのため、中間電線部位２６ａの長さは、板ばね４１への電線２６の固定箇所が第１のアーム４３ｂ又は第２のアーム４３ｃである場合に比較して２倍以上長くなっている。
【００５２】
以上の灯具１１の変向操作において、固定手段６１が板ばね４１から遠ざかるように灯具１１が変向操作されると、電線ホルダ６２が器具本体３１の開口３２ａに近付く従い中間電線部位２６ａが引き動かされる。そして、この引き動かしに追従して、既述のように長い中間電線部位２６ａが電線止め６５を支点として第１のアーム４３ｂの背面に近付けられるように円滑に変形しつつ、固定手段６１が板ばね４１の側縁４１ａから遠ざかるので、中間電線部位２６ａは第１のアーム４３ｂを非接触に跨いだ状態を維持できる。この場合、器具本体３１を背面側から見たときの中間電線部位２６ａのＵ字形状は多少広がるように変形されるが、この中間電線部位２６ａはコネクタ側電線部位２６ｂと反対側に斜めとなった引き回し状態を維持する。そのため、第１のアーム４３ｂの側縁４１ａに中間電線部位２６ａが強く押し付けられて擦られることがなく、よって、電線２６の絶縁被覆が損傷を受ける恐れがない。
【００５３】
なお、中間電線部位２６ａが既述のように自在に変形することによって、前記変向操作に拘わらず、器具本体３１の開口３２ａ側に向けて引き動かされる力は、板ばね４１の第３のアーム４３ｄに固定されている部位には作用しない。そのため、第３のアーム４３ｄの側縁によって中間電線部位２６ａが損傷を受けることはない。
【００５４】
更に、灯具１１の変向操作において、固定手段６１が板ばね４１の側縁４１ａに近付くように灯具１１が変向操作される際には、長い中間電線部位２６ａは第１のアーム４３ｂの背面から遠ざかるように円滑に変形する。この場合、器具本体３１を背面側から見たときの中間電線部位２６ａのＵ字形状は多少狭めるように変形されるが、この中間電線部位２６ａは、コネクタ側電線部位２６ｂと反対側に斜めとなった引き回し状態を維持する。これにより、中間電線部位２６ａが板ばね４１の側縁４１ａに非接触若しくは軽微に接した状態となり、強く擦り付けられることが防止されるので、中間電線部位２６ａが損傷を受けることはない。
【００５５】
なお、この場合にも、中間電線部位２６ａが既述のような自在に変形することによって、前記変向操作に拘わらず、中間電線部位２６ａが第１のアーム４３ｂの背面から遠ざかるように押し出される力は、板ばね４１の第３のアーム４３ｄに固定されている部位には作用しない。そのため、第３のアーム４３ｄの側縁によって中間電線部位２６ａが損傷を受けることはない。
【００５６】
これとともに、既述のように長い中間電線部位２６ａが第１のアーム４３ｂの背面から遠ざかるように円滑に変形する。そのため、灯具１１の前記変向操作に対して、固定手段６１が板ばね４１の側縁４１ａに近付く従って中間電線部位２６ａの変形が窮屈となって抵抗が大きく増えることがない。よって、灯具１１の変向操作を軽くできる。
【００５７】
又、以上の調節操作の際に灯具１１が過大な力で押込まれることが考えられる。この他、前記通路を通る乗客が誤って読書灯１を手で突いた場合に灯具１１は過大な力で押込まれる。この場合、灯具１１が最大で前記離間距離Ｌの分だけ押込まれ、それに伴い背面凸部１７が板ばね４１の押圧部４３を押して、この押圧部４３を弾性変形させる。
【００５８】
しかし、ある程度前記押込みが進行すると、灯具１１の円弧状部１８が器具本体３１に取付けられたストッパ５１に当たる。このストッパ５１は、複数個所のばね取付け孔３５に引っ掛かって器具本体３１に支持されている板ばね４１の固定部４２で支持されている。したがって、ストッパ５１を介して板ばね４１で灯具１１が受止められて、それ以上の灯具１１の押込みが妨げられる。つまり、前記離間距離Ｌを越えて灯具１１が過度に押込まれないようにできる。これにより、灯具１１を器具本体３１の開口３２ａに向けて付勢している板ばね４１の押圧部４３に過大な押込み荷重の全てが作用することがなくなる。こうしてストッパ５１により灯具１１の押込みが制限された時、板ばね４１の押圧部４３の変形は未だ弾性限界内にあるので、板ばね４１の永久変形が防止される。そして、前記過大な押込み力が消失すると同時に、板ばね４１の押圧部４３の弾性復帰により灯具１１が押戻される。従って、板ばね４１のばね力による前記摩擦力が所定値に保持されるので、灯具１１を調節した向きに保持する性能が低下しないようにでき、それに伴い灯具１１の照射方向を確実に保持できる。
【００５９】
なお、ストッパ５１はリングであるから、過度に灯具１１が押込まれる際に、この灯具１１の向きがどうであっても、言い換えれば、灯具１１が過度に押し込まれる方向がいかなる方向であっても、板ばね４１を介して器具本体３１に支持されているストッパ５１で、押込まれた灯具１１を確実に受止めることができる。このことは、灯具１１を押込むようにしながらこの灯具１１の向きを調節する場合でも同様であり、この場合、ストッパ５１での位置規制により、向きが変えられつつある灯具１１の回転の中心となる位置が大きく変わることを制限できるので、灯具１１の向きの調節が容易である。
【００６０】
又、以上の受止めに伴い、或いは灯具１１の向きの調節において、ストッパ５１にその周方向に沿う移動力が作用することがあるが、回り止め凸部５２が隙間Ｇに嵌合しているので、リング形のストッパ５１が回転されることがない。そのため、電線２６が板ばね４１の縁に接して傷付けられないようにできる。そして、以上の回り止めの構成は、回り止め部品を格別に要しない点で好ましい。
【００６１】
しかも、前記構成の読書灯１は、灯具１１の灯具ボディ（背面側部位）１５より強度が低い材料からなる接触部材４７を、板ばね４１の押圧部４３と灯具ボディ１５の背面１７ａとの間に挟設したので、灯具１１の変向操作に伴い、この灯具１１の背面１７ａがこれよりも硬い板ばね４１と直接接して摩耗することを、接触部材４７によって防止できる。これにより、長期にわたる読書灯１の使用において、変向させた位置に灯具１１を保持する性能の低下を抑制できるとともに、灯具１１を操作させる操作力を略一定に持続できる。なお、こうした作用効果を得るために、接触部材４７を板ばね４１に取付けることに代えて、灯具１１の灯具ボディ１５の背面１７ａに取付けて、この接触部材４７を押圧部４３の中央部４５ａに接触させることもできる。
【図面の簡単な説明】
【００６２】
【図１】本発明の一実施形態の照明器具を背面側から見て示す斜視図。
【図２】図１の照明器具を正面側から見て示す斜視図。
【図３】図１の照明器具を分解して示す斜視図。
【図４】図１の照明器具を示す背面図。
【図５】図１の照明器具を示す側面図。
【図６】図１の照明器具を示す断面図。
【図７】図６中Ｆ７−Ｆ７線に沿う断面図。
【図８】図１の照明器具をその板ばね及び電線を除去した状態で示す背面図。
【図９】図４中矢印Ｆ９方向から見て示す照明器具の側面図。
【図１０】図４中矢印Ｆ１０方向から見て示す照明器具の側面図。
【符号の説明】
【００６３】
１…読書灯（照明器具）、１１…灯具、１２…カバー(正面側部位)、１２ａ…半球状外面、１５…灯具ボディ（背面側部位）、１７…背面凸部、１７ａ…背面、２０…光源、２０ｂ…ＬＥＤ、２６…絶縁被覆電線、２６ａ…絶縁被覆電線の中間電線部位、２６ｂ…絶縁被覆電線のコネクタ側電線部位、２７…電気コネクタ、３１…器具本体、３２ａ…器具本体の開口、３３…器具本体の円弧状壁、４１…板ばね、４１ａ…板ばねの側縁、４３…板ばねの押圧部、４３ａ…押圧部の中央部、４３ｂ…第１のアーム、４３ｃ…第２のアーム、４３ｄ…第３のアーム、４４…板ばねの電線固定部、４７…接触部材、６１…固定手段、６２…電線ホルダ、６３…ねじ、６５…電線止め、Ｒ…中間電線部位の突出寸法
【図１】
2008140625.tif 000003
【図２】
2008140625.tif 000004
【図３】
2008140625.tif 000005
【図４】
2008140625.tif 000006
【図５】
2008140625.tif 000007
【図６】
2008140625.tif 000008
【図７】
2008140625.tif 000009
【図８】
2008140625.tif 000010
【図９】
2008140625.tif 000011
【図１０】
2008140625.tif 000012